(57)【要約】【課題】  頭部に対する通気性および密閉性を選択可能であるとともに、通気性を確保していても雨水が入りにくいヘルメットを提供する。【解決手段】  本発明は、着用者の頭部を覆う帽体（例えば分割帽体１０）を備えたヘルメットに係る。帽体（１０）は、着用者の頭部側における内部空間および外部空間を連通させる連通路（４９）と、その連通路（４９）を開閉可動な出窓体（４１）と、を備える。連通路（４９）を閉塞させた場合に、前記の帽体（１０）における外表面と前記の出窓体（４１）の外表面とが円滑な状態となるように帽体（１０）と出窓体（４１）とが固定される固定構造を備える。その固定構造は、前記の連通路（４９）を形成した状態をも維持可能に形成する。【選択図】図１
2019094596.tif 000002
【特許請求の範囲】
【請求項１】
着用者の頭部を覆う帽体を備えたヘルメットであって、
前記の帽体は、着用者の頭部側における内部空間および外部を連通させる連通路と、
その連通路を開閉可動な出窓体と、を備え、
前記の連通路を閉塞させた場合に前記の帽体における外表面と前記の出窓体の外表面とが円滑な状態となるように帽体と出窓体とが固定される固定構造を備え、
その固定構造は、前記の連通路を形成した状態を維持可能に形成したヘルメット。
【請求項２】
前記の固定構造は、前記の出窓体が前記の帽体に対して着脱可能であるように形成した請求項１に記載のヘルメット。
【請求項３】
前記の出窓体の外表面は、前記の帽体の外表面と色彩を異ならせることとした請求項１または請求項２のいずれかに記載のヘルメット。
【請求項４】
前記の出窓体は、前記の帽体における頭頂部側の後部に備えることとした
請求項１から請求項３のいずれかに記載のヘルメット。
【請求項５】
前記の固定構造は、前記の連通路の大きさを複数段階で変更可能であるように形成した請求項１から請求項４のいずれかに記載のヘルメット。
【請求項６】
前記の固定構造における帽体側において、前記の連通路からの帽体内部への雨水の吹き込みを抑制するための水返し部を備えた請求項１から請求項５のいずれかに記載のヘルメット。
【請求項７】
前記の出窓体は、前記の帽体を形成する素材よりも軟質の樹脂成形体とした請求項１から請求項６のいずれかに記載のヘルメット。
【請求項８】
前記の帽体を周方向に沿って分割が可能であるように形成するとともに、
前記の出窓体および前記の固定構造は、帽体を分割した複数の部位のうちで頂部を含む部位へ形成することとした請求項１から請求項７のいずれかに記載のヘルメット。
【発明の詳細な説明】
【技術分野】
【０００１】
本発明は、着用者の頭部を守るヘルメットに関する。更に詳しくは、通気性に優れたヘルメットに関する。
【背景技術】
【０００２】
工事現場、災害現場などにおいて作業をする作業者、災害時に非難をする人などは、落下物や障害物から頭部を守るため、ヘルメットを着用することが多い。また、自動二輪車やスポーツサイクリング車などに乗る人の中にもヘルメットを着用する人がいる。ヘルメットは、樹脂や金属などの通気性の低い素材にて帽体部分を形成している。このため、帽体の内側が蒸れやすい。この問題を解決するため、いくつかの技術が開示されている。
【０００３】
特許文献１には、サイクリング用のヘルメットにおいて、帽体部分（キャップ構造体１１）へ通気口（細隙部１４）を形成するために、移動可能な移動体（セレクタ１３）を備えている。サイクリングは、落下物を想定した設計とする必要がないため、通気できる通路を備えることは比較的容易である。オートバイ用も、ほぼ同様である。
【０００４】
特許文献２には、工事現場においても使うことが可能であると推測される保護帽の技術が開示されている。この技術では、内層と外層の間に間隙を設けた保護帽（１０）とし、内層（１０Ａ）と外層（１０Ｂ）には多数の通気孔（２０Ａ，２０Ｂ）が内層側と外層側とで相互にずれており、内層（１０Ａ）の外層（１０Ｂ）に面した側には、前記通気孔（２０Ａ，２０Ｂ）の周囲に堰（１６）を設けている。この技術では、作業現場での安全性と通気性による快適性とを両立させつつ、降雨への配慮もなされている。
【０００５】
特許文献３には、帽体本体（１）の頭頂部（２）の一定領域を切除して貫通孔（３）を形成し、その貫通孔（３）の周囲を通気路とすることで大きな換気効果を得るとともに、ヘルメット本来の性能である強度とを両立させられるヘルメットが開示されている。
すなわち、帽体本体（１）と帽体頭頂部（２）の固定は、帽体本体（１）と帽体頭頂部（２）のいずれか一方に係止爪（６）を形成し、いずれか他方に前記係止爪（６）に係合する係合部（７）を形成して係合固定させることとしている。そして、帽体頭頂部（２）の外周付近の複数位置において、一定間隔を隔てた帽体本体（１）と帽体頭頂部（２）の間に一定の高さで弾性的に支持し帽体頭頂部（２）に作用する上方からの衝撃を吸収する衝撃吸収体（５）を配置している。
【先行技術文献】
【特許文献】
【０００６】
【特許文献１】特開２０１６−５２０７３３号公報
【特許文献２】特許第３５０３９４７号公報
【特許文献３】特開２０１７−１４５５３５号公報
【発明の概要】
【発明が解決しようとする課題】
【０００７】
（天候への適応性と安全性の両立）
特許文献１に開示されたような技術は、降雨があった場合、多くの雨水が内部へ吹き込むこととなってしまう。
特許文献２に開示された技術で頭部の通気性と安全性とを両立させるためには、内層（１０Ａ）および外層（１０Ｂ）の二重構造を形成しなければならないために、同じ素材を選択した場合に重量が増すという問題点がある。
【０００８】
（頭部に対する通気性と密閉性との選択）
頭部に対する通気性と密閉性とを選択可能とする場面は、工事現場などではあり得る。たとえば、粉塵が舞うような現場である。特許文献３に開示された技術は通気性を確保可能としている。しかし、頭部に対する通気性と密閉性とを選択可能とする技術ではない。
【０００９】
本発明が解決しようとする課題は、頭部に対する通気性および密閉性を選択可能であるとともに、通気性を確保していても雨水が入りにくいヘルメットを提供することにある。
【００１０】
なお、本願発明に類似すると思われる先行特許文献を調査するため、特許情報プラットフォームにて、以下の検索式を使い、先行技術を調査したところ、９７件の特許文献がヒットした（調査日は、平成２９年１０月３０日）。
検索式＝［ヘルメット／ＡＣ］＊［通気／ＡＣ＋換気／ＡＣ］＊［孔／ＡＣ＋穴／ＡＣ］＊［着脱／ＡＣ＋外／ＡＣ］
そして、この９７件を調査したが、本願と同一の技術思想に基づくものは発見できなかった。
【課題を解決するための手段】
【００１１】
（第一の発明）
本願における第一の発明は、着用者の頭部を覆う帽体（例えば分割帽体１０、一体型帽体１０Ｇ）を備えたヘルメットに係る。
前記の帽体（１０）は、着用者の頭部側における内部空間および外部空間を連通させる連通路（４９）と、
その連通路（４９）を開閉可動な出窓体（４１）と、を備え、
前記の連通路（４９）を閉塞させた場合に前記の帽体（１０）における外表面と前記の出窓体（４１）の外表面とが円滑な状態となるように帽体（１０）と出窓体（４１）とが固定される固定構造を備え、
その固定構造は、前記の連通路（４９）を形成した状態をも維持可能に形成する（図１、図３参照）。
【００１２】
（用語説明）
出窓体（４１）は、連通路による通気量を大きくすることを意図して複数（左後出窓４１Ａ、右後出窓４１Ｂ）を備える（図１参照）ことが望ましいが、単数でもよい。
「帽体（１０）における外表面と出窓体（４１）の外表面とが円滑な状態」とは、ヘルメットとしての安全性を保つ趣旨である。たとえば、帽体（１０）がなす曲面とほぼ連続する曲面をなすことである。
「固定構造」は、たとえば、いわゆるオスメス部位を互いに備えた部材の組合せ、互いに係合する部材の組合せ、雄ねじ雌ねじの組合せなどによって達成する。たとえば雄ねじ雌ねじの組合せを「固定構造」として採用すると、連通路（４９）の大きさを無段階に調整できる。
【００１３】
（作用）
本願に係るヘルメットを着用した着用者は、着用時に、出窓体（４１）が連通路（４９）を形成した状態を維持させるように固定構造を作動させる。これにより、連通路（４９）が着用者の頭部側における内部空間および外部を連通するので、着用状態を快適にする。
本願に係るヘルメットの使用を終了する際や降雨などの場合には、出窓体（４１）が連通路（４９）を閉塞させるように固定構造を作動させる。連通路（４９）が閉塞しており、帽体（１０）における外表面と出窓体（４１）の外表面とが円滑な状態なので、着用者の頭部側へ雨水が浸入することを防ぐことができる。
連通路（４９）を閉塞させた場合には、帽体（１０）における外表面と前記の出窓体（４１）の外表面とが円滑な状態となるので、ヘルメットとしての安全性を保てる。特に、工事現場での使用に適している。
【００１４】
（第一の発明のバリエーション１）
第一の発明に係るヘルメットは、以下のように形成してもよい。
すなわち、前記の固定構造は、前記の出窓体（４１）が前記の帽体（１０）に対して着脱可能であるように形成してもよい（図２、図１１参照）。
【００１５】
（作用）
出窓体（４１）を帽体（１０）から取り外すことができるので、たとえばヘルメットを水洗いなど、清掃することが容易となる。工事現場、災害現場などでは、連通路（４９）や前記の固定構造へ砂塵が入り込むことがある。出窓体（４１）を帽体（１０）から取り外すことで、入り込んだ砂塵を清掃することで、開閉可動の機能をメンテナンスできる。
また、出窓体（４１）が破損したような場合に交換できる。異なる機能を備えた出窓体（４１）へ変更することも可能となる。
【００１６】
（第一の発明のバリエーション２）
第一の発明は、以下のように形成してもよい。
すなわち、前記の出窓体（４１）の外表面は、前記の帽体（１０）の外表面と色彩を異ならせることとしてもよい（図７参照）。
たとえば、２つの出窓体（４１Ａ，４１Ｂ）を備えたヘルメットにおいて、２つの出窓体（４１Ａ，４１Ｂ）をそれぞれ出窓体（４１）の外表面の色彩を異ならせることとしてもよい。
【００１７】
（作用）
建設現場などにおいて、高所で作業している作業者がその作業者よりも低所で作業している作業者を上方から見た際に、作業者個人または作業者の役割を見分けたい場合がある。
そうした場合に、たとえば作業者の役割に応じて出窓体（４１）の色彩を予め決定しておき、それを装着することとしておけば、上述のようなニーズに応えられることとなる。高所で作業している作業者がその作業者よりも低所で作業している作業者のヘルメットにおける出窓体（４１）の色彩の違いを見分けることができるからである。
【００１８】
（第一の発明のバリエーション３）
第一の発明における前記の出窓体（４１）は、前記の帽体（１０）における頭頂部側の後部に備えることとしてもよい（図１、図１１参照）。
前記の帽体（１０）における着用者の着用時を基準とした左右方向を渡す左右リブ（１４）を備えている場合、出窓体（４１）は左右リブ（１４）よりも後方に位置する。
【００１９】
出窓体（４１）は、通気量を確保する観点からは数が多いほど良いが、ヘルメット全体を考えた場合に部品点数が増え、構造も複雑化する。それに伴って製造コストも増大する。したがって、少ない数で効果的な通気量を確保することを意図した場合、頭頂部側の後方が合理的である。
着用時のヘルメットは頭頂部側が最も温度が高いため、出窓体（４１）は頭頂部に近い場所へ連通路（４９）が位置することが望ましいからである。
また、帽体（１０）における後部へ出窓体（４１）が位置することが望ましいのは、ヘルメットの前部にはヘッドライトやゴーグルを装着する作業者が多いため、出窓体（４１）が設けられていては邪魔だからである。
【００２０】
（第一の発明のバリエーション４）
第一の発明は、以下のように形成してもよい。
すなわち、前記の固定構造は、前記の連通路（４９）の大きさを複数段階で変更可能であるように形成することとしてもよい（図４参照）。
たとえば、互いに係合する部材において、連通路を閉塞する場所で係合する第一ポジション、小さな連通路（４９Ａ）を確保する場所で係合する第二ポジション、大きな連通路（４９Ｂ）確保する場所で係合する第三ポジションを備えるような固定構造とするのが望ましい。
【００２１】
（作用）
ヘルメットの着用者は、状況に応じて連通路（４９）の大きさを複数段階で変更することができる。
小雨が降っているような場合や寒冷地で使用する場合には、小さな連通路（４９Ａ）とし、晴天時や温暖地で使用する場合には、大きな連通路（４９Ｂ）とする。
【００２２】
（第一の発明のバリエーション５）
第一の発明は、以下のように形成してもよい。
すなわち、前記の固定構造における帽体（１０）側において、前記の連通路（４９）からの帽体（１０）内部への雨水の吹き込みを抑制するための水返し部（４８）を備えるのが、より好ましい（図３，図４参照）。
たとえば、水返し部（４８）は、帽体（１０）側における連通路（４９）の最も外側に近い箇所を立ち上げて形成される。
【００２３】
（作用）
水返し部（４８）を備えていることで、連通路（４９）からの帽体（１０）内部への雨水の吹き込みが抑制される。すなわち、通気性を確保していても雨水が入りにくい。
【００２４】
（第一の発明のバリエーション６）
第一の発明は、以下のように形成してもよい。
すなわち、前記の出窓体（４１）は、前記の帽体（１０）を形成する素材よりも軟質の樹脂成形体とするのである。
たとえば、帽体（１０）は、金属または硬質樹脂（一般にはＡＢＳなど）にて形成されている。出窓体（４１）は、好ましくはＡＢＳよりも軟質な、たとえばポリプロピレン（ＰＰ）にて形成する。
【００２５】
出窓体（４１）は、帽体（１０）に比べて軟らかい材質なので、連通路（４９）の開放および閉塞を繰り返しても、帽体（１０）が破損するおそれは小さい。
【００２６】
（第一の発明のバリエーション７）
第一の発明は、以下のように形成してもよい。
すなわち、前記の帽体（１０）を周方向に沿って分割が可能であるように形成するとともに、
前記の出窓体（４１）および前記の固定構造は、帽体（１０）を分割した複数の部位のうちで頂部を含む部位へ形成することとしてもよい（図１，図８参照）。
【００２７】
（作用）
帽体（１０）を周方向に沿って分割が可能なので、ヘルメットとして使用していない時には分割し、占有体積を減らすことができる。そのため、持ち運びの際に荷物の体積を減少させたり、保管スペースを軽減させたりすることに寄与する。
【発明の効果】
【００２８】
第一の発明によれば、頭部に対する通気性および密閉性を選択可能であるとともに、通気性を確保していても雨水が入りにくいヘルメットを提供することができる。
【図面の簡単な説明】
【００２９】
【図１】第一の実施形態の全体を示す斜視図である。
【図２】第一の実施形態における主要部（出窓体とその固定構造）を示す斜視図である。
【図３】第一の実施形態における主要部（出窓体とその固定構造）を示す断面図である。
【図４】第二の実施形態における主要部（出窓体とその固定構造）を示す断面図である。
【図５】第三の実施形態における主要部（出窓体とその固定構造）を示す斜視図である。
【図６】第四の実施形態の全体を示す斜視図である。
【図７】第五および第六の実施形態の全体を示す斜視図である。
【図８】第一の実施形態に係るヘルメットを分解し、収納する直前の様子を示す斜視図である。
【図９】第一の実施形態に係るヘルメットを分解して収納した後の様子を示す斜視図である。
【図１０】第一の実施形態に係るヘルメットを分解および組立する場合に使用する分割固定体の動きを示す図である。
【図１１】第七の実施形態の全体を示す斜視図である。
【発明を実施するための形態】
【００３０】
以下、本発明をいくつかの実施形態および図面によって更に詳しく説明する。ここで使用する図面は、図１から図１１である。
【００３１】
（図１）
図１では、第一の実施形態の全体を概念的に示している。この実施形態に係るヘルメットは、主に次の二点を特徴としている。第一に、着用時に通気性を確保可能なヘルメットである点である。第二に、ヘルメットの帽体部分の周方向を周回する２つの境界線にて三分割することができる点である。
最初に、通気性に関する構成および作用について説明する。三分割できることに関する構成および作用については、他の図面を用いなければ十分に説明できないため、詳細については後述する。
【００３２】
第一の実施形態に係るヘルメットは、着用者の頭部を覆うとともに、使用していない状態では分割可能な帽体１０と、着用者の目の上付近を覆うこととなる庇１１と、その庇１１以外を周回する外縁１２と、を備えたヘルメットである。
この帽体１０は、着用者の頭部側における内部空間および外部を連通させる連通路４９と、その連通路４９を開閉可動な出窓体４１と、を備えている。出窓体４１は、帽体１０における外表面から上方の所定位置までの間を往復可動に、帽体１０に備えられている。連通路４９が形成された状態は図１（ａ）に、連通路４９が閉塞された状態は図１（ｂ）に、それぞれ示されている。
【００３３】
前記の帽体１０は、周方向に沿って三分割が可能であるように形成している。前述した庇１１および外縁１２を含む部位を基部帽体２０、前述した連通路４９や出窓体４１を含む部位を頂部帽体４０、基部帽体２０および頂部帽体４０に挟まれた部位を中央帽体３０とする。
帽体１０は三分割されるものの、庇１１から頂部（分割されていない帽体１０の外縁１１を水平面へ載置した場合に最も高くなる部位）を通って後側へ至る前後リブ１３、および着用者の片側の耳上付近の外縁１２部分から頭頂部を通って他方側の耳上付近の外縁１２部分へ至る左右リブ１４が備えられている。前後リブ１３および左右リブ１４は、帽体１０の他の外表面部分から立ち上がった部位として形成されている。
【００３４】
左右リブ１４の両側および前後リブ１３の後側には、帽体１０を三分割したり分離した三つの部位を固定したりするための分割固定体５０を備えている。そして、それぞれの分割固定体５０を収めるため、前後リブ１３の後側には溝部１３Ａ（図７（ａ）、図１０参照）を、左右リブ１４の両側には２つの溝部１４Ａをそれぞれ備えている。
分割固定体５０の詳細については、図１０を用いて説明するので、ここでは省略する。
【００３５】
（図２）
図２を用いて、前述した出窓体４１およびその出窓体４１を固定するために頂部帽体４０へ形成される固定構造について説明する。
出窓体４１を固定するための固定構造は、頂部帽体４０に備えられる出窓支持体４５である。出窓体４１は、出窓支持体４５に対して着脱自在である。一方、出窓支持体４５は、出窓体４１との係合状態に応じて、連通路４９の確保および連通路４９の閉塞状態を作り出せる。
【００３６】
まず、図２（ｃ）を用いて、出窓体４１および出窓支持体４５の構造について説明する。
図２（ａ）は、連通路４９が存在しない状態（連通路４９が閉塞されている状態）、図２（ｂ）は、連通路４９が形成されている状態、図２（ｃ）は、出窓体４１が出窓支持体４５から外された状態、をそれぞれ示している。
出窓体４１は、頂部帽体４０の外表面に連続するような曲率の曲面を備えた扇板状の外装体４２と、その外装体４２における内側面の中央付近から突出するガイド４３と、そのガイド４３の両側においてガイド４３と同じ方向へ突出するストッパ４４とを備えて形成されている。
【００３７】
ガイド４３は、その長手方向に垂直な断面が十字形をなしている。
ストッパ４４は、第一ストッパ４４Ａと、その第一ストッパ４４よりも軸方向長さが短い第二ストッパ４４Ｂとを、隣り合わせて二組備えている。
第一ストッパ４４Ａにおける先端側には、ガイド４３側へ突出する突起を備えている。第二ストッパ４４Ｂは、先端よりもやや中央寄りに、ガイド４３側へ突出する突起を備えている。
【００３８】
出窓支持体４５は、ガイド部４３を挿入する内径のガイド筒部４６と、ストッパ４４を係合するストッパ受け部４７とを備えている。
ストッパ受け部４７は、第一ストッパ４４Ａに係合する第一受け部４７Ａと、第二ストッパ４４Ｂに係合する第二受け部４７Ｂとを備えている。
ストッパ４４およびストッパ受け部４７の関係については、図３を用いて詳述する。なお、図３にて描いている断面の位置は、図２（ａ）にＩおよびＩＩを図示している。
【００３９】
（図３）
図３（ａ）は、連通路４９が存在しない状態（連通路４９が閉塞されている状態）、図３（ｂ）は、連通路４９が形成されている状態、図３（ｃ）は、出窓体４１が出窓支持体４５から外された状態、をそれぞれ示している。
図３（ａ）では、ガイド部４３の先端は、ガイド筒部４６から大きくはみ出て貫通している。第二ストッパ４４Ｂおよび第二受け部４７Ｂが係合しており、すなわち、外力を加えて出窓体４１を動かそうとしない限り、連通路が閉鎖された状態が保たれる。
なお、第一ストッパ４４Ａおよび第一受け部４７Ａは係合していない。
【００４０】
図３（ｂ）では、ガイド部４３の先端は、ガイド筒部４６から貫通しているものの、突出長さは大きくない。第一ストッパ４４Ａおよび第一受け部４７Ａが係合しており、連通路４９が確保された状態で維持される。なお、第二ストッパ４４Ｂおよび第二受け部４７Ｂが係合していない。連通路４９が確保された状態で落下物が出窓体４１へ衝突しても、多くの場合、連通路４９が閉じる程度である。
図３（ｃ）では、ガイド部４３の先端は、ガイド筒部４６の端部に達しているものの、突出していない。第一ストッパ４４Ａおよび第一受け部４７Ａも、第二ストッパ４４Ｂおよび第二受け部４７Ｂも係合しておらず、出窓体４１は出窓支持体４５から外れる。
工事現場、災害現場などでは、連通路４９や前記の固定構造へ砂塵が入り込むことがある。しかし、出窓体４１を帽体１０から取り外すことで、入り込んだ砂塵を清掃できる。その結果、出窓体４１の開閉可動の機能をメンテナンスできる。
【００４１】
（図４）
図４は、出窓体および出窓支持体におけるストッパおよび受け部の形状や寸法を異ならせることによって、連通路の大きさを二段階とすることができる第二の実施形態を示している。
図４（ａ）は、連通路４９が存在しない状態（連通路４９が閉塞されている状態）、図４（ｂ）は、小さな連通路（小連通路４９Ａ）が形成されている状態、図４（ｃ）は、大きな連通路（大連通路４９Ｂ）が形成されている状態を、それぞれ示している。
【００４２】
図４（ａ）に示すように、第二の実施形態では、第一の実施形態における第二ストッパ４４Ｂの代わりに二段階ストッパ４４Ｃを、第二受け部４７Ｂの代わりに二段階受け部４７Ｃを備えている。二段階ストッパ４４Ｃには、第二ストッパ４４Ｂが１つとしていた突起を２つ備えている。また、二段階受け部４７Ｃには、第二受け部４７Ｂが１つとしていた突起を２つ備えている。
ガイド４３は、第一の実施形態におけるものよりも軸方向寸法を長くしており、図４（ａ）では、図３（ａ）よりもガイド筒部４６から大きく突出している。第一ストッパ４４Ａおよび第一受け部４７Ａもまた、第一の実施形態におけるものよりも軸方向寸法を長く形成している。
図４（ａ）では、二段階ストッパ４４Ｃにおける外装体４２側の突起は、二段階受け部４７Ｃにおける帽体１０内部側の突起に接している（係合状態）。すなわち、外力を加えて出窓体４１を動かそうとしない限り、連通路が閉鎖された状態が保たれる。
なお、第一ストッパ４４Ａおよび第一受け部４７Ａは、係合していない。
【００４３】
図４（ｂ）では、二段階ストッパ４４Ｃにおける外装体４２側の突起は、二段階受け部４７Ｃにおける２つの突起の間に挟まれた状態で係合しており、小連通路４９Ａが確保された状態で維持される。
また、このとき、ガイド４３は、ガイド筒部４６からやや突出している。また、第一ストッパ４４Ａおよび第一受け部４７Ａは、未だに係合していない。
小雨が降っているような場合や寒冷地で使用する場合には、この小連通路４９Ａを確保した状態とすることで、本実施形態に係るヘルメットの着用者は、快適に使用できる。
【００４４】
図４（ｃ）では、二段階ストッパ４４Ｃにおける外装体４２側の突起は、二段階受け部４７Ｃにおける２つの突起を乗り越えた状態となり、係合が外れた状態となっている。一方、第一ストッパ４４Ａおよび第一受け部４７Ａは係合しており、大連通路４９Ｂが確保された状態で維持される。
気温が高い、湿度が高いなどの場合には、この大連通路４９Ｂを確保した状態とすることで、本実施形態に係るヘルメットの着用者は、快適に使用できる。
【００４５】
（水返し部４８）
図３および図４において示される第一および第二の実施形態における水返し部４８について説明する。
いずれの実施形態も、頂部帽体４０に備えられる出窓支持体４５には、連通路４９，４９Ａ，４９Ｂからの帽体１０内部への雨水の吹き込みを抑制するための水返し部４８を備えている。この水返し部４８は、出窓支持体４５側における連通路４９，４９Ａ，４９Ｂの最も外側に近い箇所を立ち上げて形成している。
【００４６】
（図５）
図５に示す実施形態は、第一の実施形態に係る出窓体４１のバリエーションである。
ガイド４３の軸方向長さを、第一の実施形態の場合よりも長く形成しておき、出窓支持体４５のガイド筒部４６を貫通させる。そして、ガイド４３の先端部分を熱で変形させることで、出窓体４１を出窓支持体４５（帽体１０）から取り外せなくする。
この実施形態によれば、出窓体４１を紛失するおそれが小さくなる。
【００４７】
（図６）
図６に示す実施形態は、これまでに説明してきた実施形態と異なり、帽体部分を分割できない帽体１０Ｇとしている。
また、これまでの実施形態では、出窓体４１は、頂部帽体４０における後部分（左右リブ１４よりも後方）へ２つ（左後出窓４１Ａ、右後出窓４１Ｂ）を備えることとしていた。しかし、この実施形態においては、頂部帽体４０における前部分（左右リブ１４よりも前方）にも、左前出窓４１Ｃおよび右前出窓４１Ｄという出窓体をも備えることとした。
【００４８】
出窓体４１は、前記の帽体１０を形成する素材よりも軟質の樹脂で成型したものである。
より具体的には、本実施形態に係る帽体１０は、ＡＢＳ樹脂にて形成されている。そして、出窓体４１は、ＡＢＳよりも軟質な、たとえばポリプロピレン（ＰＰ）にて形成する。
出窓体４１は、連通路４９の開放および閉塞を繰り返しても、帽体１０（特に、出窓体４１と係合脱着を繰り返す出窓支持体４５）が破損するおそれは小さい。
【００４９】
分割帽体１０へ出窓体４１（およびその固定構造）を備える場合、頂部帽体４０へ備えることとするのが合理的で効果的であった。しかし、分割帽体１０ではなく、分割できない帽体１０Ｇへ出窓体４１（およびその固定構造）を備えることとすることで、出窓体４１の場所や大きさ、数の自由度を広げることができる。
【００５０】
（図７（ａ））
図７（ａ）は、第五の実施形態を示す斜視図である。
この実施形態は、帽体１０に対して備えた出窓体４１について、カラーバリエーションを加えたことを示している。すなわち、左後色付き出窓体４１Ｅ、右後色付き出窓体４１Ｆ、および帽体１０それぞれの外表面の色彩を全て異ならせている。
前述したように、出窓体４１は、着脱可能であるので、左後色付き出窓体４１Ｅおよび右後色付き出窓体４１Ｆのカラーバリエーションを揃えることで、色柄が多数種類となるヘルメットを提供できる。
【００５１】
色柄が多数種類となるヘルメットが望まれているのは、たとえば建設現場などにおいて、高所で作業している作業者がその作業者よりも低所で作業している作業者を上方から見た際に、作業者個人または作業者の役割を見分けたい場合である。たとえば作業者の役割に応じて左後色付き出窓体４１Ｅおよび右後色付き出窓体４１Ｆの色彩を予め決定しておき、それを装着することとしておけば、上述のようなニーズに応えられる。高所で作業している作業者がその作業者よりも低所で作業している作業者のヘルメットにおける左後色付き出窓体４１Ｅおよび右後色付き出窓体４１Ｆの色彩の違いを見分けることができるからである。
【００５２】
（図７（ｂ））
図７（ｂ）は、第六の実施形態を示す斜視図である。
この実施形態は、一体型の帽体１０Ｇへ、これまでの実施形態とは異なる出窓体の形状や数を備えたものとしている（出窓体を固定する出窓支持体については、前述した構成と同じであるので、図示を省略する）。より具体的には、左後出窓体４１Ａなどよりも上下方向寸法が大きい左後長出窓体４１Ｇ、右後長出窓体４１Ｈ、左前長出窓体４１Ｊ、左後長出窓体４１Ｋとしている。
また、左後長出窓体４１Ｇ、右後長出窓体４１Ｈ、左前長出窓体４１Ｊ、左後長出窓体４１Ｋのそれぞれは、第五の実施形態と同様、色を異ならせている。
【００５３】
分割可能な帽体１０ではなく、一体型の帽体１０Ｇへ出窓体を設けることで、その形状の自由度を高めることができる。帽体の内部空間と外部との換気量は、連通路の大きさに概ね比例し、頂部付近の換気量が多いほど換気効率が良いので、出窓体の輪郭線の長さを頂部付近で稼げる形状などを工夫することができる。
【００５４】
（図８）
図８では、第一の実施形態に係るヘルメットを分解し、収納する直前の様子を示す。説明の都合上、各部材の「上下」は、着用者が本実施形態に係るヘルメットを着用した場合を想定して、頂部側を「上」として定める。
基部帽体２０における上側の内寸Ｄ２０は、中央帽体３０における下側の外寸Ｄ３０よりも大きい。たとえば、基部帽体２０の下の内側であって鍔１１の中央から基部帽体２０の下面がなす略楕円形の中心を通って反対側へ到達する線（基部縦内寸線とする）の寸法は、中央帽体３０の下において前後リブ１３の中央を結んだ外寸よりも大きい。基部縦内寸線の中心で直交する線（基部横内寸線）の寸法も、中央帽体３０における横外寸線の寸法よりも大きい。
これによって、基部帽体２０の内側へ中央帽体３０が収まることとなる。
【００５５】
中央帽体３０と頂部帽体４０との関係も、基部帽体２０と中央帽体３０との関係と同様である。すなわち、中央帽体３０の内寸Ｄ３１は、頂部帽体４０の外寸Ｄ４０よりも大きい。これによって、中央帽体３０の内側へ頂部帽体４０が収まることとなる。
換言すれば、基部帽体２０、中央帽体３０、および頂部帽体４０の寸法が上述したような関係となるように、帽体の輪郭や細部の傾斜角度などを採択し、決定していることとなる。
【００５６】
（図９）
図９は、図８で示した中央帽体３０および頂部帽体４０を、基部帽体２０に備えられた顎紐１５によって固定した状態を示している。
顎紐１５は基部帽体２０の左右で独立して固定されているとともに、着用者への着用時には左右をつなげるワンタッチファスナを備えているので、そのワンタッチファスナを用いて中央帽体３０および頂部帽体４０を留め置くのである。
図示を省略しているが、基部帽体２０にはヘルメットにおけるハンモック部材が顎紐１５と反対側（上側）へ備えられている。したがって、ハンモック部材が内部空間で占有するスペースの分、中央帽体３０および頂部帽体４０が浮き上がって留め置かれることとなる場合が多い。
また、図示を省略しているが、図９に示した状態のヘルメットを収納できる専用の袋を準備している。そのため、運搬時や保管時に便利であるとともに、分解後に留め置いた状態が正常でない場合にそのことに気づきやすい。
【００５７】
（図１０）
図１０は、分割帽体１０における前後リブ１３における後側、および左右リブ１４の両側という合計３箇所に備えられる分割固定体５０について、その構造および作動を示している。この図においては、左右リブ１４における固定体用溝１４Ａを例として図示する。
分割固定体５０は、頂部帽体４０における固定体用溝１４Ａの中央帽体３０側に設けられた断面略Ｌ字形の分割固定体頂部５１と、その分割固定体頂部５１における中央帽体３０側に設けられた頂部軸５２と、その頂部軸５２に対して回動自在に軸支持された頂部引っ掛けレバー５３と、その頂部引っ掛けレバー５３の中央付近に設けられたレバー軸５４と、そのレバー軸５４に対して回動自在に軸支持された基部引っ掛けレバー５５とからなる。
【００５８】
基部帽体２０における固定体用溝１４Ａの中央帽体３０側には、基部引っ掛けレバー５５と係合する分割固定片２１が備えられている。
中央帽体３０における固定体用溝１４Ａには、分割された基部帽体２０、中央帽体３０、および頂部帽体４０を組み立てるための部材は存在しない。頂部帽体４０に設けられた分割固定体５０と分割固定片２１とに挟まれ、動かなくなることで基部帽体２０、中央帽体３０、および頂部帽体４０が組み上がる。
【００５９】
図１０（ａ）は、分割固定体５０が分割固定片２１との係合が解かれた状態（または組立前の状態）を示す。
図１０（ｂ）は、分割固定体５０が分割固定片２１との係合が解かれた直後の状態（または組立直前の状態）を示す。
図１０（ｃ）は、分割固定体５０が分割固定片２１と係合した状態を示す。分割固定片２１および分割固定体頂部５１が弾性変形するバネ性によって、頂部引っ掛けレバー５３および基部引っ掛けレバー５５が係合した状態を保っている。そのバネ性に抗したが威力を使うことで係合状態を解除し、基部帽体２０、中央帽体３０、および頂部帽体４０への分解をすることとなる。
図１０（ｄ）は、分割固定体５０が分割固定片２１と係合した状態を示す斜視図である。
【００６０】
分割固定体５０は、図８および図９に図示するように、基部引っ掛けレバー５５が頂部帽体４０の内側へ位置するようにすることで、分割して収納する際に安定する。頂部引っ掛けレバー５３の端部は、基部帽体２０の内側に収まる。
【００６１】
（図１１）
図１１には、基部帽体２０の内側前部へゴーグル７０を、基部帽体２０に内側後部へ日除け６０をそれぞれ備えた第七の実施形態を示している。
ゴーグル７０は、基部帽体２０の内側の曲率に近い曲面を備えて形成されており、その出し入れが円滑に行える。
使用する際には、基部帽体２０から下方へスライドさせ、着用者の目の前に位置させる。使用を終了した場合には、基部帽体２０の内部へ収納する。
なお、ゴーグル７０は、着用者がヘルメットを着用する状況に応じた種類を選択可能、すなわち交換可能であることが望ましい。ゴーグル７０の種類としては、たとえば粉塵などから着用者の目を守る機能を備えたもの、強い光から着用者の目を守る機能を備えたものなどがある。
【００６２】
日除け６０は、着用者の後頭部の下側（首付近）を直射日光が当たらないようにする布製のものが一般的である。日除け６０を基部帽体２０から出して用いれば、粉塵が着用者の背中側の衿口から浸入することを防げる。
なお、耐久性のある素材で日除け６０を形成してもよい。小さな落下物から着用者の後頭部の下側（首付近）を保護することに寄与する。
日除け６０もゴーグル７０も、基部帽体２０と図示を省略したハンモックとの間のスペースを有効活用している。
【産業上の利用可能性】
【００６３】
本発明は、ヘルメットの製造業、ヘルメットを含む工事用具のレンタル業、災害用品に製造販売業などにおいて、利用可能性を有する。
【符号の説明】
【００６４】
１０  ；分割帽体                  １０Ｇ；一体型帽体
１１  ；庇                        １２  ；外縁
１３  ；前後リブ                  １３Ａ；固定体用溝
１４  ；左右リブ                  １４Ａ；固定体用溝
１５  ；顎紐
２０  ；基部帽体                  Ｄ２０；基部帽体の内寸
２１  ；分割固定片
３０  ；中央帽体                  Ｄ３０；中央帽体の外寸
Ｄ３１；中央帽体の内寸
４０  ；頂部帽体                  Ｄ４０；頂部帽体の外寸
４１  ；出窓体                    ４１Ａ；左後出窓体
４１Ｂ；右後出窓体                ４１Ｃ；左前出窓体
４１Ｄ；右前出窓体                ４１Ｅ；左後色付き出窓体
４１Ｆ；右後色付き出窓体          ４１Ｇ；左後長出窓体
４１Ｈ；右後長出窓体              ４１Ｊ；左前長出窓体
４１Ｋ；右前長出窓体
４２  ；外装体
４３  ；ガイド                    ４３Ｄ；ガイド抜け止め
４４  ；ストッパ                  ４４Ａ；第一ストッパ
４４Ｂ；第二ストッパ              ４４Ｃ；二段階ストッパ
４５  ；出窓支持体                ４５Ｃ；二段階出窓支持体
４６  ；ガイド筒部
４７  ；ストッパ受け部            ４７Ａ；第一受け部
４７Ｂ；第二受け部                ４７Ｃ；二段階受け部
４８  ；水返し部
４９  ；連通路                    ４９Ａ；小連通路
４９Ｂ；大連通路
５０  ：分割固定体                ５１  ；分割固定体頂部
５２  ；頂部軸                    ５３  ；頂部引っ掛けレバー
５４  ；レバー軸                  ５５  ；基部引っ掛けレバー
６０  ；日除け
７０  ；ゴーグル
【図１】
2019094596.tif 000003
【図２】
2019094596.tif 000004
【図３】
2019094596.tif 000005
【図４】
2019094596.tif 000006
【図５】
2019094596.tif 000007
【図６】
2019094596.tif 000008
【図７】
2019094596.tif 000009
【図８】
2019094596.tif 000010
【図９】
2019094596.tif 000011
【図１０】
2019094596.tif 000012
【図１１】
2019094596.tif 000013